(57)【要約】【課題】キャスティング時において、釣糸の放出抵抗を可能な限り軽減するとともに、安定した釣糸の巻回が可能な釣糸案内体を備えた魚釣用リールを提供する。【解決手段】魚釣用リールは、釣糸が巻回されるスプール５Ａと、スプール５Ａから繰り出される釣糸を挿通する釣糸案内体６０とを有する。釣糸案内体６０は、釣糸巻き取り状態で釣糸をスプールに案内する左右方向に幅狭の釣糸案内部６７と、釣糸放出状態で釣糸の放出抵抗を軽減する左右方向に幅広の開口部６８とを有する。そして、開口部６８の左右幅Ｗをスプールの釣糸巻回幅ＷＳの５０％〜２００％に設定し、開口部６８の内側上部位置Ｐを前記スプールの半径Ｄの７０％〜１００％に設定し、開口部６８の内側下部位置Ｐ１をスプールの底径Ｄ１の１００％〜１２０％に設定する。【選択図】図１
2014087277.tif 000002
【特許請求の範囲】
【請求項１】
リール本体の左右側板間に回転自在に支持されたスプールと、
前記スプールから繰り出される釣糸を挿通させると共に、前記左右側板間で往復移動する釣糸案内体を備えたレベルワインド装置と、
前記スプールを釣糸巻き取り状態と釣糸放出状態に切り換えるクラッチ機構と、
を有する魚釣用リールにおいて、
前記釣糸案内体は、釣糸巻き取り状態で釣糸をスプールに案内する左右方向に幅狭の釣糸案内部と、釣糸放出状態で釣糸の放出抵抗を軽減する左右方向に幅広の開口部と、を有し、
前記開口部の左右幅Ｗを前記スプールの釣糸巻回幅ＷＳの５０％〜２００％に設定し、
前記開口部の内側上部位置Ｐを前記スプールの半径Ｄの７０％〜１００％に設定し、
前記開口部の内側下部位置Ｐ１を前記スプールの底径Ｄ１の１００％〜１２０％に設定したことを特徴とする魚釣用リール。
【請求項２】
前記釣糸案内体は、前記クラッチ機構のＯＮ／ＯＦＦ動作に連動してスプール前方で回動可能に支持されており、釣糸巻き取り状態と釣糸放出状態で切り換え可能であることを特徴とする請求項１に記載の魚釣用リール。
【請求項３】
前記釣糸案内部は、前記開口部の下部中央位置から下方に向けて延出して形成されており、
前記釣糸案内体には、前記クラッチ機構がＯＦＦ状態からＯＮ状態に切り換えられて釣糸案内体が回動した際、前記釣糸に当て付いて釣糸を前記釣糸案内部から離脱させない規制部が形成されていることを特徴とする請求項２に記載の魚釣用リール。
【請求項４】
前記釣糸案内部は、前記開口部を形成する上壁のスプール側中央に溝状に形成されるとともに、前記クラッチ機構がＯＦＦ状態からＯＮ状態に切り換えられて釣糸案内体が回動した際、釣糸に接触して釣糸を釣糸案内部から離脱させないことを特徴とする請求項２に記載の魚釣用リール。
【請求項５】
前記リール本体には、前記クラッチ機構のＯＮ／ＯＦＦ動作に連動する当接部材が設けられており、
前記当接部材は、前記クラッチ機構がＯＮ状態になった際、釣糸に当接して釣糸を前記釣糸案内部から離脱させないように移動することを特徴とする請求項１に記載の魚釣用リール。
【請求項６】
前記リール本体の上部に、前記クラッチ機構のＯＮ／ＯＦＦ動作に連動して、上下方向に開閉可能なカバー部材を配設しており、
前記カバー部材に前記当接部材を設けたことを特徴とする請求項５に記載の魚釣用リール。
【発明の詳細な説明】
【技術分野】
【０００１】
本発明は、スプール前方の側板間に、スプールに釣糸を平行に巻回案内する釣糸案内体を備えた魚釣用リールに関する。
【背景技術】
【０００２】
従来、両軸受型タイプの魚釣用リールには、左右側板間に回転可能に支持されたスプールに対して釣糸を均等に巻回するように、レベルワインド装置が配設されている。このレベルワインド装置は、一方の側板側に回転可能に配設されたハンドルの巻き取り操作に連動して、スプール前方で左右に往復動する釣糸案内体を備えており、前記釣糸案内に釣糸が挿通されることで、スプールに対して釣糸を平行に巻回することが可能となっている。
【０００３】
ところで、上記した釣糸案内体は、例えば、仕掛けをキャスティングするとき、釣糸が接触して抵抗となってしまい、仕掛けの飛距離を低下させてしまうという問題がある。また、釣糸をスプールに巻回するときは、安定した糸巻状態が確保できるように、釣糸案内体部分で釣糸が変位しないようにする必要がある。そこで、例えば、特許文献１には、釣糸案内体の釣糸案内部の形状を、上部では左右方向に横長形状にして釣糸放出時における釣糸挿通部（開口部）とし、下部では中央を幅狭の釣糸案内用の溝部として釣糸巻き取り時の案内部とした構成が開示されている。そして、釣糸案内体の前後方向の近傍に、クラッチの切換操作に連動して上下方向に移動可能なピラーを配設し、釣糸放出時（クラッチＯＦＦ時）では、ピラーを上方に移動させて釣糸を釣糸挿通部に位置させて糸抵抗を軽減し、釣糸巻き取り時（クラッチＯＮ時）では、ピラーを下方に移動させて釣糸を幅狭の溝部に案内し、スプールに巻回される糸巻状態を向上するようにしている。
【先行技術文献】
【特許文献】
【０００４】
【特許文献１】特開２０１２−７０６８３号
【発明の概要】
【発明が解決しようとする課題】
【０００５】
しかし、上記した特許文献１に開示されている魚釣用リールは、釣糸案内体の開口部に関し、釣糸が巻回されたスプールとの関係を考慮していないため、釣糸放出抵抗を軽減する上では改良する余地がある。すなわち、キャスティング時における釣糸放出中は、釣糸案内体からの接触抵抗が少ない方が、仕掛けの飛距離が伸び、かつ、スムーズな仕掛けの投擲が行えるようになる。この場合、キャスティング初期では、釣糸は、スプールに対する糸巻径が大きく、キャスティング終期では、スプールに対する糸巻径が小さくなることから、この間で釣糸ができるだけ釣糸案内体からの抵抗を受けないようにするためには、釣糸案内体の開口部の形状や、スプールに対する位置関係が重要となる。また、キャスティング最中では、釣糸は、スプールに対する糸巻径が変化することに加え、スプール幅の範囲で左右方向に大きく振れながら放出される。
【０００６】
本発明は、上記した問題に着目してなされたものであり、キャスティング時において、釣糸の放出抵抗を可能な限り軽減するとともに、安定した釣糸の巻回が可能な釣糸案内体を備えた魚釣用リールを提供することを目的とする。
【課題を解決するための手段】
【０００７】
上記した目的を達成するために、本発明に係る魚釣用リールは、リール本体の左右側板間に回転自在に支持されたスプールと、前記スプールから繰り出される釣糸を挿通させると共に、前記左右側板間で往復移動する釣糸案内体を備えたレベルワインド装置と、前記スプールを釣糸巻き取り状態と釣糸放出状態に切り換えるクラッチ機構と、を有する構成であって、前記釣糸案内体は、釣糸巻き取り状態で釣糸をスプールに案内する左右方向に幅狭の釣糸案内部と、釣糸放出状態で釣糸の放出抵抗を軽減する左右方向に幅広の開口部と、を有し、前記開口部の左右幅Ｗを前記スプールの釣糸巻回幅ＷＳの５０％〜２００％に設定し、前記開口部の内側上部位置Ｐを前記スプールの半径Ｄの７０％〜１００％に設定し、前記開口部の内側下部位置Ｐ１を前記スプールの底径Ｄ１の１００％〜１２０％に設定したことを特徴とする。
【０００８】
上記した構成の魚釣用リールによれば、釣糸放出状態では、釣糸が釣糸案内体の左右方向に幅広の開口部に位置して放出抵抗の軽減が図られ、釣糸巻き取り状態では、釣糸が左右方向に幅狭の釣糸案内部に位置してスプールに対する釣糸の巻き取り状態の向上が図られる。また、前記開口部は、左右幅Ｗをスプールの釣糸巻回幅ＷＳの５０％〜２００％に設定したことで、キャスティング時において、釣糸が開口部の左右内壁に接触することが軽減されて放出抵抗の軽減が図られる。さらに、開口部の内側上部位置Ｐをスプールの半径Ｄの７０％〜１００％に設定したことで、キャスティング初期では、釣糸が開口部の上内壁に接触することが軽減され、開口部の内側下部位置Ｐ１をスプールの底径Ｄ１の１００％〜１２０％に設定したことで、キャスティング終期では、釣糸が開口部の下内壁に接触することが軽減されて放出抵抗の軽減が図られる。
【０００９】
すなわち、キャスティング時では、スプールから放出される釣糸は、左右方向および上下方向に大きく振れることとなるが、釣糸案内体の開口部のスプールに対する位置を上記のように設定したことで、可能な限り放出抵抗の軽減が図れるようになる。
【発明の効果】
【００１０】
本発明によれば、キャスティング時において、釣糸の放出抵抗を可能な限り軽減するとともに、安定した釣糸の巻回が可能な釣糸案内体を備えた魚釣用リールが得られる。
【図面の簡単な説明】
【００１１】
【図１】本発明に係る魚釣用リールを示し、釣糸案内体部分を露出させた平面図。
【図２】図１に示す魚釣用リールにおいて、クラッチ機構の動力伝達部分の構成を示す側面図（クラッチＯＮ状態）。
【図３】図１に示す魚釣用リールにおいて、クラッチ機構の動力伝達部分の構成を示す側面図（クラッチＯＦＦ状態）。
【図４】クラッチプレートと釣糸案内体を回動させる回動プレートとの連結部分の構造を示す断面図。
【図５】図１に示す魚釣用リールのＡ−Ａ線に沿った断面図であり、釣糸案内体が釣糸巻き取り状態（クラッチＯＮ状態）にあるときを示す図。
【図６】図１に示す魚釣用リールのＡ−Ａ線に沿った断面図であり、釣糸案内体が釣糸放出状態（クラッチＯＦＦ状態）にあるときを示す図。
【図７】釣糸案内体を拡大して示す斜視図（クラッチＯＮ状態）。
【図８】図７に示す釣糸案内体の正面図。
【図９】釣糸案内体を拡大して示す斜視図（クラッチＯＦＦ状態）。
【図１０】図９に示す釣糸案内体の正面図。
【図１１】スプールと釣糸案内体の幅方向の関係を模式的に示す平面図。
【図１２】スプールと釣糸案内体の上下方向の関係を模式的に示す正面図。
【図１３】図１に示した釣糸案内体を、より幅広構造にした構成を示す魚釣用リールの平面図。
【図１４】図１３に示した釣糸案内体が最も左側板側に移動した状態を示す平面図。
【図１５】図１３に示した釣糸案内体が最も右側板側に移動した状態を示す平面図。
【図１６】釣糸案内体の変形例を示し、クラッチＯＮ状態を示す断面図。
【図１７】釣糸案内体が図１６に示した状態からクラッチＯＦＦ状態になった状態を示す断面図。
【発明を実施するための形態】
【００１２】
以下、図面を参照しながら本発明に係る魚釣用リールについて説明する。  
図１から図３は、本発明に係る魚釣用リールの一実施形態を示す図であり、図１は、釣糸案内体部分を露出させた平面図、図２は、クラッチ機構の動力伝達部分の構成を示す側面図（クラッチＯＮ状態）、そして、図３は、クラッチ機構の動力伝達部分の構成を示す側面図（クラッチＯＦＦ状態）である。なお、以下において、前後方向、左右方向、及び上下方向は、図１および図２で示す方向で定義する。
【００１３】
本実施形態に係る魚釣用リールは、左右のフレーム２ａ，２ｂを左右カバー３ａ，３ｂで覆った左右側板１Ａ，１Ｂを備えたリール本体１を有している。前記リール本体には、左右側板間に位置し、図示しない釣竿に装着されるリール脚１Ｃが一体形成されている。また、前記左右のフレーム２ａ，２ｂ間には、スプール軸５が軸受を介して回転可能に支持されており、スプール軸５には、釣糸が巻回されるスプール５Ａが一体的に固定されている。さらに、前記左右側板間には、スプール５Ａに対して上方側に、指を載置可能なサムレスト１Ｄが設けられている。
【００１４】
本実施形態では、前記スプール５Ａを回転駆動するハンドル８を右側板１Ｂ側に設置しており、右フレーム２ｂと右カバー３ｂとの間の空間には、ハンドル８の回転駆動力をスプール軸５に伝達する公知の動力伝達機構１０が配設されている。また、右フレーム２ｂと右カバー３ｂとの間には、スプール軸５を動力伝達状態と動力遮断状態に切り換える公知のクラッチ機構２０が配設されており、このクラッチ機構２０は、スプール５Ａの後方側の左右側板間に配設されたクラッチ切り換え操作部材（以下、操作部材と称する）２１を押し下げ操作することで、クラッチＯＮ状態（動力伝達状態であり釣糸巻き取り状態）からＯＦＦ状態（動力遮断状態であり、釣糸放出状態）に切り換えるようになっている。なお、クラッチＯＦＦ状態からクラッチＯＮ状態への復帰は、後述する自動復帰機構３０によってハンドル８を回転操作することで行うことが可能となっている。
【００１５】
また、左右の側板１Ａ，１Ｂ間には、スプール５Ａの釣糸繰出し方向側に、レベルワインド装置５０が配設されている。このレベルワインド装置５０は、前記ハンドル８を回転操作することで、釣糸を挿通する釣糸案内体６０が左右に往復移動するよう構成されており、釣糸の巻き取り操作に伴って、スプール５Ａに対して釣糸を均等に巻回する機能を有する。
【００１６】
前記駆動力伝達機構１０は、ハンドル８が固定されたハンドル軸８ａにドラグ機構と関連して回転可能に装着された駆動歯車１１と、この駆動歯車１１に噛合するピニオン１２とを備えている。前記ピニオン１２は、スプール軸５と同軸上に設置されており、スプール軸５（別体のスプール軸であっても良い）に沿って軸方向に移動可能となっている。また、ピニオン１２の外周には、円周溝１２ａが形成されており、この円周溝１２ａに、後述するクラッチ機構２０のヨーク２２が係合して、ピニオン１２を軸方向に移動させるようになっている。すなわち、ピニオン１２が軸方向に移動することで、スプール軸５との間で継脱がなされ、動力伝達状態（クラッチＯＮ）／動力遮断状態（クラッチＯＦＦ）に切り換えられるようになっている。
【００１７】
前記クラッチ機構２０は、右フレーム２ｂに対して回動可能に支持され、振り分けバネ２３によって、図２に示す動力伝達状態（クラッチＯＮ状態）と、図３に示す動力遮断状態（クラッチＯＦＦ状態）に振り分け保持されるクラッチプレート２５を備えている。このクラッチプレート２５は、右フレーム２ｂに上下方向に形成された連結孔２ｄを介して前記操作部材２１と連結されており、クラッチプレート２５に形成された長孔２５ａに、右フレーム２ｂに突出するように設けられたピン２ｅが挿入されて、その回動駆動が案内されるようになっている。
【００１８】
前記クラッチプレート２５の表面には、前記ピニオン１２の円周溝１２ａに係合したヨーク２２と係合可能な一対のカム面２６が形成されている。前記ヨーク２２の先端側は、右フレーム２ｂに突設された支持ピン２７によって保持されており、ヨーク２２は、各支持ピンに配設されたバネ部材（図示せず）によって常時、クラッチプレート２５側に付勢された状態となっている。なお、図２は、ヨーク２２がバネ部材によってクラッチプレート２５側に付勢された状態を示しており、このとき、ピニオン１２はスプール軸の端部に形成されている係合部に嵌合してクラッチＯＮ状態となっている。
【００１９】
前記クラッチプレート２５は、操作部材２１が、図２の矢印に示すように押下げ操作されると反時計回り方向に回動され、前記カム面２６、及びヨーク２２を介して、ピニオン１２をスプール軸の端部に形成されている係合部から離脱させ、図３に示すように、クラッチＯＦＦ状態に切り換える。なお、この状態は、前記振り分けバネ２３によって保持される。
【００２０】
また、前記クラッチプレート２５には、クラッチをＯＦＦ状態からＯＮ状態にする自動復帰機構３０が設けられている。この自動復帰機構３０は、クラッチプレートに一体的に設けられるキック部材３１と、前記ハンドル軸８ａに回り止め固定されるラチェット３２とを備えており、前記キック部材３１は、クラッチＯＮからクラッチＯＦＦに切り換えると、図３に示すように、ラチェット３２の回転軌跡内に侵入するように配置、構成されている。このため、クラッチＯＦＦ状態において、前記ハンドル８を巻き取り操作すると、ラチェット３２の回転により、キック部材３１はキックされ、自動的にクラッチプレート２５をクラッチＯＮ状態の位置に復帰させて、振り分けバネ２３のバネ力で保持する。なお、クラッチの復帰は、前記操作部材２１を押し上げ操作しても行うことが可能である。
【００２１】
前記スプール５Ａの前方側の左右側板間には、前記レベルワインド装置５０が配置されている。以下、レベルワインド装置５０の構成について、図４から図１０を併せて参照しながら説明する。なお、これらの図において、図４は、クラッチプレートと釣糸案内体を回動させる回動プレートとの連結部分の構造を示す断面図、図５は、図１に示す魚釣用リールのＡ−Ａ線に沿った断面図であり、釣糸案内体が釣糸巻き取り状態（クラッチＯＮ状態）にあるときを示す図、図６は、釣糸案内体が釣糸放出状態（クラッチＯＦＦ状態）にあるときを示す図、図７は、釣糸案内体を拡大して示す斜視図（クラッチＯＮ状態）、図８は、図７に示す釣糸案内体の正面図、図９は、釣糸案内体を拡大して示す斜視図（クラッチＯＦＦ状態）、そして、図１０は、図９に示す釣糸案内体の正面図である。
【００２２】
前記レベルワインド装置５０は、スプール５Ａに巻回された釣糸Ｓを挿通させる釣糸案内体６０を備えており、この釣糸案内体６０は、軸受５２（図４参照）を介して左右側板間に回転可能に支持され、前記駆動力伝達機構１０を介して回転可能に駆動される螺軸（ウォームシャフト）５１によって、左右往復駆動されるよう構成されている。すなわち、前記螺軸５１の右フレーム側には、前記ハンドル軸８ａに装着された駆動歯車１１と隣接して配設されてハンドル軸８ａと一体的に回転する連結ギア（図示せず）と噛合する入力ギア５３が設けられており、前記螺軸５１は、連結ギア及び入力ギア５３を介してハンドル８の回転駆動と同期して回転駆動されるようになっている。
【００２３】
前記螺軸５１は、左右側板間に回動可能に保持される管状体（筒体）５５内に収容された状態となっており、前記管状体５５の外面には、軸方向に延出する長孔５５ａが形成され、前記螺軸５１の表面に形成された螺旋溝５１ａを軸方向に沿って部分的に露出させている。また、前記釣糸Ｓを挿通させる釣糸案内体６０は、釣糸挿通部６０Ａと保持部６０Ｂを一体的に備えており、前記保持部６０Ｂが前記管状体５５を囲繞するように、配置、形成されている。
【００２４】
前記保持部６０Ｂは、その内部に、前記長孔５５ａを介して螺旋溝５１ａと係合する摺動子６１を保持している。この摺動子６１は、袋ナット６２によって、前記保持部６０Ｂに対して固定される。また、前記釣糸案内体６０は、螺軸５１の回転によって、螺旋溝５１ａと摺動子６１との係合関係によって、軸方向に沿って移動しつつ、管状体５５の回りを回転しないように、回り止めされている。本実施形態の構成では、前記管状体５５の外周に、軸方向に沿って延出する回り止め部５５ｂを形成しており、回り止め部５５ｂに対して、保持部６０Ｂの係合部６４を係合させることで、回り止めを果たしている。具体的には、回り止め部５５ｂは、管状体５５の外周に、軸方向に延出する突起（図５，図６に示すように、１８０°間隔で一対設けられている）として構成されており、係合部６４は、そのような突起に入り込む凹部として構成されている。
【００２５】
上記のように、螺軸５１を収容する管状体５５に回り止め部５５ｂを一体形成することで、従来のように、釣糸案内体６０を回り止めするガイド軸を配設する必要がなくなり、レベルワインド装置の構造を簡素化することが可能となる。
【００２６】
また、釣糸案内体６０は、前記螺軸５１が回転駆動されると、摺動子６１を介して左右側板間で往復駆動されると共に、本実施形態では、上述したクラッチ機構２０のＯＮ／ＯＦＦに連動して釣糸巻き取り状態と釣糸放出状態との間で切り換えられるように、スプール５Ａの前方で前後方向に回動可能に構成されている。この場合、釣糸案内体６０の回動駆動については、前記管状体５５を回動駆動することで成されるようになっている。
【００２７】
ここで、クラッチ機構２０から管状体５５への動力伝達経路に具体的に説明する。  
前記クラッチプレート２５には、リール本体の前方側に向けて突出する突片２５ｂが形成されており、その先端には、右フレーム側に向けて突出する係合突起２５ｃが一体形成されている。一方、右フレーム２ｂには、前記螺軸５１が支持される部分に回動プレート５９が保持されており、前記管状体５５は、右フレーム２ｂの内面側において、回動プレート５９と回り止め固定されている。すなわち、回動プレート５９には、径方向に突出する凸部５９ａが形成されており、この凸部５９ａに、管状体５５の端部に形成された凹部５５ｃが嵌合することで、両者は、右フレーム２ｂの内面側で固定された状態（一体回動可能な状態）となっている。
【００２８】
前記回動プレート５９は、前記螺軸５１を回転可能に支持する軸受５２の外輪と右フレーム２ｂとの間で回動可能に支持されており、右フレーム２ｂの外面側に沿って、前記クラッチプレート２５の突片２５ｂと係合する連結片５９ｂが形成されている。そして、連結片５９ｂには、長孔５９ｃが形成されており、この長孔５９ｃに、前記クラッチプレート２５の突片２５ｂの係合突起２５ｃが遊挿されることで、回動プレート５９は、図２及び図３に示すように、クラッチプレート２５の回動に伴って螺軸５１の軸芯を中心に回動されるようになっている。したがって、回動プレート５９は、振り分けバネ２３によって、釣糸巻き取り状態と釣糸放出状態との間で振り分け保持されるクラッチプレート２５と共に、２つの位置で切り換えられるようになっている。
【００２９】
前記釣糸案内体６０は、回動プレート５９を介して、管状体５５が回動駆動されることで、スプールの前方において、前後方向に回動駆動される。ここで、釣糸案内体６０の釣糸挿通部６０Ａの構成について、具体的に説明する。
【００３０】
釣糸挿通部６０Ａは、スプール５Ａからの釣糸Ｓを挿通させる部分であり、ＳＵＳ、チタン等の釣糸抵抗が少ない材料によるフレーム体６０Ｆとして構成されており、図７から図１０に示すように、前記保持部６０Ｂと共に一体形成されている。具体的に、本実施形態の釣糸挿通部６０Ａは、左右方向に幅狭（細溝状）となった釣糸案内部６７と、その釣糸案内部６７の上方側で、略対称となるように左右方向に拡がる幅広の開口部６８とを備えており、釣糸案内部６７は、開口部６８の下部中央位置から下方に向けて延出した形状となっている。この場合、開口部６８は、図１０に示すように、釣糸放出状態となったときの正面視（挿通される釣糸Ｓに沿って前方から見た正面視）で、左右方向に拡がる略楕円形状となるように形成されており、その両サイド壁は、開口部６８の略中央の下部に形成される釣糸案内部６７に向けて傾斜して釣糸Ｓを案内する傾斜案内面６８ａとなっている。
【００３１】
前記開口部６８を有するフレーム体６０Ｆは、釣糸放出状態で側面視した際、前後方向に対して傾斜した状態（後方側に向けて次第に立ち上がる形状）となっており、開口部６８を形成する上壁６８ｂは、釣糸放出状態では、前後方向に沿った状態となって（図６及び図９参照）、可能な限り広い開口を確保できるようになっている。したがって、開口部６８を形成する前後方向に沿った上壁６８ｂの後端縁６９は、釣糸放出状態から釣糸巻き取り状態に回動した際、開口部６８内に挿通されている釣糸Ｓに対して、上側から当接できる位置関係となっており、釣糸Ｓを規制する規制部としての機能を有する（以下、後端縁を規制部６９と称する）。
【００３２】
なお、規制部６９は、フレーム体６０Ｆとして一体形成される部分であり、釣糸案内体６０が前記クラッチ機構２０に連動して、釣糸放出状態から釣糸巻き取り状態に回動した状態で正面視した際（図８に示すように、釣糸Ｓに沿って前方から見た際）、前記釣糸案内部６７の上下長さＬの範囲内となるような配置関係となっていれば良い。すなわち、このような配置関係となっていれば、釣糸案内体６０が、釣糸放出状態から釣糸巻き取り状態に回動すると、開口部６８のいずれかの部分に位置する釣糸Ｓは、規制部６９によって押し付けられ、傾斜案内面６８ａに沿って確実に釣糸案内部６７に案内することが可能となる。また、このような位置関係となっていれば、釣糸巻き取り状態で、釣糸Ｓを確実に釣糸案内部６７から離脱しないようにすることができる。
【００３３】
そして、前記釣糸案内体６０（開口部６８）は、スプール５Ａとの関係、具体的には、スプール５Ａに巻回される釣糸の巻回量、及び釣糸放出時の左右の振れを考慮して、以下のような大きさに設定されている。ここで、図１１及び図１２を参照して、釣糸案内体６０とスプールとの関係について説明する。なお、図１１は、スプールと釣糸案内体の幅方向の関係を模式的に示す平面図、図１２は、スプールと釣糸案内体の上下方向の関係を模式的に示す正面図である。
【００３４】
開口部６８は、クラッチ機構をＯＮからＯＦＦ（操作部材２１を押し下げ操作）にしてキャスティング操作する際、放出される釣糸が挿通する部分である。上記したように、開口部６８は、左右方向に幅広に形成されて、挿通する釣糸の接触抵抗を軽減するように構成されているが、開口部６８の左右幅Ｗについては、スプール５Ａの釣糸巻回幅ＷＳの５０％〜２００％に設定しておくのが好ましい。すなわち、スプール５Ａに対しては、釣糸は、釣糸案内体６０の左右の往復動によって、釣糸巻回幅ＷＳに亘って均等となるように巻回された状態となっており、この状態から釣糸を放出すると、釣糸は、釣糸巻回幅ＷＳに亘って大きく左右に振れるようになる。このため、開口部６８の左右幅Ｗを、少なくとも、スプール５Ａの釣糸巻回幅ＷＳの５０％以上（スプールの釣糸巻回幅ＷＳの半分以上）に設定しておくことで、左右に振れる釣糸の接触抵抗を効果的に減らすことができ、仕掛けの飛距離が低下することを抑制することが可能となる（５０％よりも小さくすると、釣糸が左右に振れた際に、開口部６８の両内面に接触する傾向が高くなる）。
【００３５】
前記開口部６８の左右幅Ｗについては、広くする程、放出抵抗の軽減が図れるようになって好ましいが、本実施形態のように、釣糸案内部６７を、開口部６８の下部中央位置から下方に向けて延出して形成した構成では、スプール５Ａに釣糸を巻回案内する釣糸案内部６７が、図１４及び図１５で示すように、スプール５Ａの左右の端の位置（このとき、釣糸案内体６０は最も左右の端に移動した位置となる）にあったとき、開口部６８がスプール５Ａの全体幅をカバーできていれば良い。すなわち、開口部６８の左右幅Ｗが、スプール５Ａの釣糸巻回幅ＷＳの２００％になっていれば、論理的には、釣糸放出状態で開口部６８の開口領域を、確実にスプール前方に位置させることが可能となり（図１３から図１５参照）、釣糸の放出抵抗を軽減することが可能となる。
【００３６】
ただし、開口部６８の左右幅Ｗについては、１００％を超えると、釣糸案内体６０の左右摺動時に左右の側板と干渉するため、左右側板の各対向内面に、釣糸案内体６０が幅方向に移動した際に入り込む凹所を形成しておけば良い。すなわち、開口部６８の左右幅Ｗが、スプール５Ａの釣糸巻回幅ＷＳの２００％に設定されていても、左右側板の各対向内面に凹所を形成しておくことで、そのような大きさの釣糸案内体を左右方向に移動可能に保持することが可能である。
【００３７】
なお、上記したスプールの釣糸巻回幅ＷＳについては、図１１に示すように、スプール５Ａに対して最大限釣糸が巻回される幅（スプールの左右フランジ５Ｆの釣糸巻回上端位置ＰＦの幅）によって定義され、開口部６８の左右幅Ｗについては、開口部に挿通する釣糸が両サイドで接触可能となる左右の内面端位置ＰＧの幅によって定義される。
【００３８】
前記開口部６８を形成する上壁６８ｂの内側上部位置、及び、下壁の内側下部位置（本実施形態では、左右の傾斜案内面６８ａの下端位置となる）については、スプール５Ａに巻回される釣糸の巻回量（釣糸を放出する際、初期段階では、釣糸はスプール５Ａに対して略一杯に巻回された状態にあり、かつ、釣糸が放出された終期段階では、スプール５Ａに対する巻回量が減少する）を考慮して以下のように設定される。
【００３９】
図１２に示すように、スプール軸５の軸芯Ｘからフランジ５Ｆの上端位置ＰＨまでの高さで定義されるスプール５Ａの半径をＤとした場合、開口部６８を形成する上壁６８ｂの内側上部位置Ｐ（開口部６８を形成するフレームの内面の最も上部の位置）については、前記半径Ｄの７０％〜１００％に設定しておくことが好ましい。すなわち、スプール軸５の軸芯Ｘから上壁６８ｂの内側上部位置Ｐまでの高さＨを、半径Ｄの１００％以下に設定しておくことで、スプール５Ａに釣糸が一杯に巻回されたことを考慮しても、放出時に開口部６８の上壁６８ｂの内面に釣糸が接触することを抑制することが可能となり、かつ、リール本体のロープロファイル化が図り易くなる。また、スプール５Ａからの釣糸放出時では、釣糸は直ちに巻回量が減少して行き、上壁６８ｂからの抵抗が減少することから、軸芯Ｘから上壁６８ｂの位置Ｐまでの高さＨについては、前記半径Ｄの７０％以上に設定されていれば良い。この場合、上壁６８ｂの内側上部位置Ｐまでの高さＨを７０％よりも低く設定しておくと、キャスティング初期時に、上壁６８ｂの内面からの接触抵抗が大きくなる傾向となり、好ましくはない。
【００４０】
また、図１２に示すように、スプール５の底径（スプール軸５の軸芯Ｘから釣糸が巻回される巻回胴部５Ｓまでの表面距離）をＤ１とした場合、開口部６８を形成する内側下部位置Ｐ１（本実施形態では、開口部６８を形成する左右の傾斜案内面６８ａの下端位置で定義される）を、スプールの底径Ｄ１の１００％〜１２０％に設定しておくことが好ましい。すなわち、スプール軸５の軸芯Ｘから左右の傾斜案内面６８ａの下端位置Ｐ１までの高さＨ１を、底径Ｄ１の１００％に設定しておくことで、スプール５Ａから釣糸が殆ど放出された状態を考慮しても、開口部６８の下壁の内面（内側下部位置Ｐ１）に釣糸が接触することを抑制することが可能となり、かつ、リール本体のロープロファイル化が図り易くなる。この場合、スプール５Ａからの釣糸放出時では、釣糸が全て放出された状態になることはないため、前記Ｈ１は、１００％以上に設定しておけば良いが、開口部６８を形成する内側下部位置Ｐ１は、スプールの底径Ｄ１の１２０％以下に設定しておくことが好ましい。すなわち、内側下部位置Ｐ１を１２０％よりも高く設定すると、キャスティング終期に傾斜案内面６８ａからの接触抵抗が大きくなるため好ましくはない。また、前記Ｈ１を１００％未満に設定すると、開口部が上下方向に大きくなり過ぎてしまい、リール本体のロープロファイル化を図る上では好ましくはない。
【００４１】
なお、前記スプールの底径Ｄ１については、巻回胴部５ＳがＶ字状やＵ字状に形成されていれば、最もスプール軸５と近い部分によって定義される。また、開口部６８の内側下部位置Ｐ１については、上記したような釣糸案内部６７を形成した構成では、釣糸案内部６７へ向けて屈曲（湾曲）移行する位置によって定義される。
【００４２】
開口部６８の下側中央に形成される左右方向に幅狭となった釣糸案内部６７は、上下方向に延出しており、そこに入り込んだ釣糸Ｓの左右方向のブレを防止して、スプール５Ａに対して、安定して釣糸を平行巻きする機能（糸巻状態を向上する機能）を有する。
【００４３】
この場合、釣糸案内部６７を規定する両壁６７ａについては、図５及び図６に示すように、前記摺動子６１を固定する袋ナット６２の上方を覆うように伸びていることが好ましく、このような構成により、釣糸案内部６７に入り込んでいる釣糸が、前記袋ナット６２の部分で絡むことを効果的に防止することが可能となる。また、釣糸案内部６７の底面６７ｃは、図５に示す釣糸巻き取り状態において、前方に向けて次第に下方向に傾斜する傾斜面となっていることが好ましい。すなわち、このような底面形状にすることにより、スプールから傾斜した状態で繰り出される釣糸との摩擦抵抗の低減が図れるようになる。
【００４４】
次に、上述したように構成される魚釣用リールの作用、及び効果について説明する。  
図２及び図５に示すクラッチＯＮ状態において、スプール５Ａの後方側に位置する操作部材２１を押し下げ操作すると、前記クラッチ機構２０を構成するクラッチプレート２５は、反時計回りに回動され、振り分けバネ２３によって、図３に示す状態に保持される。このとき、クラッチプレート２５の表面に形成されたカム面２６がヨーク２２を軸方向にシフトさせ、ピニオン１２をスプール軸５から離脱させる（クラッチＯＦＦ状態）。また、この操作によるクラッチプレート２５の回動に伴って、前記回動プレート５９は、螺軸５１の軸芯を中心に回動され、これに回り止めされている管状体５５は、図２（図５）に示す位置から、図３（図６）に示す位置に回動される。
【００４５】
したがって、前記釣糸案内体６０は、管状体５５に保持されていることから、図５（図７，図８）に示す状態から、図６（図９，図１０）に示すように回動される。そして、このように回動された釣糸案内体６０は、スプール５Ａがフリー回転可能な状態（釣糸放出状態）となっており、前記釣糸案内部６７に入り込んでいる釣糸Ｓは、規制部６９による規制が外れ、開口部６８に移動する。通常、釣糸放出状態では、スプール５Ａに対する釣糸の巻回量が多いため、規制部６９の規制が外れることで、釣糸は、直ちに開口部６８に移動することができる。
【００４６】
この状態で、スプール５Ａはフリー回転可能となっており、キャスティング操作等により、釣糸Ｓは放出される。この場合、釣糸案内体６０は、スプール５Ａの前方において、図６、及び図９、図１０に示す状態に回動されており、その開口部６８は、左右方向に幅広状に形成されていることから、その内面から接触抵抗を受けることが少なくなり、仕掛けの飛距離を低下させるようなことはない。すなわち、釣糸を放出する際に、釣糸案内体６０からの放出抵抗を軽減することが可能となる。
【００４７】
特に開口部６８の左右幅Ｗを、上記したように、スプール５Ａの釣糸巻回幅ＷＳの５０％〜２００％の範囲に設定することによって、キャスティング時において、釣糸が開口部６８の左右内壁に接触することが軽減されて放出抵抗の軽減が図れるようになる。また、開口部６８の内側上部位置Ｐをスプールの半径Ｄの７０％〜１００％の範囲に設定することによって、キャスティング初期では、釣糸が開口部６８の上内壁に接触することが軽減されるようになり、さらに、開口部６８の内側下部位置Ｐ１をスプールの底径Ｄ１の１００％〜１２０％の範囲に設定することにより、キャスティング終期では、釣糸が開口部６８の下内壁に接触することが軽減されて放出抵抗の軽減が図れるようになる。すなわち、キャスティング時では、スプール５Ａから放出される釣糸は、左右方向および上下方向に大きく振れることとなるが、釣糸案内体６０の開口部６８のスプール５Ａに対する位置を上記のように設定したことにより、可能な限り放出抵抗の軽減が図れ、仕掛けの飛距離を低下させることはない。
【００４８】
そして、クラッチ機構２０をＯＮ復帰させるべく、ハンドル８を巻き取り操作すると、前記自動復帰機構３０によって、クラッチプレート２５は、図２に示す位置に自動復帰する。このクラッチプレート２５のＯＮ状態の復帰に伴って、管状体５５は、前記回動プレート５９を介して、図２及び図５に示す状態に回動され、釣糸案内体６０は、図５、及び図７，図８に示す位置に切り換えられる。このとき、前記開口部６８のいずれかの部分に位置している釣糸Ｓは、回動する規制部６９が当て付いて押し付けられ、開口部６８の傾斜案内面６８ａに沿って確実に中央に位置する釣糸案内部６７に案内される。また、図８に示すように、釣糸巻き取り状態では、釣糸Ｓは、規制部６９によって釣糸案内部６７から離脱することはない。
【００４９】
その後、ハンドル８を巻き取り操作することで、上記したレベルワインド装置５０の螺軸５１は、ハンドル軸８ａに設けられた連結ギア、及びこれに噛合する入力ギア５３を介して回転駆動される。前記螺軸５１が回転駆動されることで、釣糸案内体６０は、螺軸５１の外周面に形成された螺旋溝５１ａと係合する摺動子６１を介して、管状体５５に沿って左右往復動される。この場合、管状体５５の外周には、軸方向に沿って延出する回り止め部５５ｂが形成されているため、釣糸案内体６０は、軸回りに回転することなく、左右に往復駆動される。これにより、釣糸Ｓは、左右方向に幅狭となった釣糸案内部６７によって、スプール５Ａに対して、安定して平行巻きされ、さらには、規制部６９の位置によって、釣糸案内部６７から離脱することもないため、常時、安定した平行巻き状態が確保される。  
なお、スプール５Ａに対する釣糸Ｓの巻回量が少ない場合、例えば、釣糸を多量に放出した状態では、釣糸案内部６７に位置する釣糸Ｓは、規制部６９に接触していなくても良い。
【００５０】
次に、本発明の別の実施形態について説明する。  
上記した実施形態では、釣糸案内部６７を開口部６８の中央下部に形成したが、釣糸案内部６７が形成される位置については、開口部６８と連続して形成されていなくても良いし、その形状についても適宜、変形することが可能である。例えば、図１６（釣糸巻回状態）及び図１７（釣糸放出状態）に示すように、釣糸案内部６７Ａは、開口部６８を形成する上壁６８ｂのスプール側中央に溝状に形成されていても良い（図１１の上壁６８ｂの後縁の中央位置ＰＣに溝状に窪むように形成される）。
【００５１】
このような構成では、クラッチ機構がＯＦＦ状態からＯＮ状態に切り換えられて、釣糸案内体が図１７に示す状態から図１６に示す状態に回動した際、釣糸が溝状の釣糸案内部６７Ａに案内されて離脱できないようにすることが可能となり、釣糸巻回時に、安定して釣糸をスプールに案内することが可能となる。また、このような構成では、開口部６８の上下寸法を可能な限り大きく形成することが可能となり、釣糸放出抵抗を極力、低減することが可能となる。  
なお、前記釣糸案内部６７Ａの溝形状については、特に限定されることはないが、Ｖ字状やＵ字状に形成することにより、釣糸を案内し易くすることが可能となる。
【００５２】
上記した実施形態では、釣糸案内体６８は、クラッチ機構２０のＯＮ／ＯＦＦ動作に連動して前後方向に回動可能（切り換え移動可能）に支持されていたが、クラッチ機構に連動することなく、単に左右に往復動する構造であっても良い。この場合、リール本体１の左右側板１Ａ，１Ｂ間に、クラッチ機構２０のＯＮ／ＯＦＦ動作に連動して、例えば、上下方向に移動する当接部材（側板間に横架されるピラー等）を設けておき、クラッチ機構２０がＯＦＦ状態からＯＮ状態になった際、開口部６８に位置する釣糸に当接して、釣糸を釣糸案内部６７に押え付けて離脱させないように構成しておけば良い。  
このような構成によれば、釣糸案内体の保持部分の構成を簡略化することができるとともに、上記した実施形態と同様な作用、効果を得ることが可能となる。
【００５３】
或いは、リール本体１の上部に、クラッチ機構２０のＯＮ／ＯＦＦ動作に連動して、上下方向に開閉可能なカバー部材を配設しておいても良い。このようなカバー部材は、クラッチ機構２０の操作部材２１と一体的に形成することが可能であり、サムレストとしての機能を果たすとともに、操作部材２１を押し下げ操作した際に、釣糸案内体側を上方に移動させて大きく開口し、スプールから放出される釣糸の接触抵抗を軽減させることが可能となる。このようなカバー部材に、上記した当接部材（側板間に横架されるピラー等）を設けておいても良い。  
このように構成することで、釣糸の放出抵抗の低減を図りつつ、リール本体のロープロファイル化を実現することが可能となる。
【００５４】
また、釣糸案内体６０については、スプール５Ａの前方で前後方向に回動駆動するのであれば、回動軸芯（螺軸５１の中心）からの距離や管状体５５の回動する角度に応じて下方にシフトさせる距離を適宜調整することができるため、規制部６９については、平坦状になったフレーム体６０Ｆの上壁６８ｂの後端縁で形成しなくても良い。すなわち、規制部については、釣糸挿通部６０Ａを構成するフレーム体６０Ｆのいずれかの部分を屈曲形成するなど、その形状については適宜変形することが可能である。
【００５５】
また、釣糸案内体６０は、釣糸と接触する部分に、耐摩耗性を有すると共に、摺動抵抗の少ない部材（釣糸接触部材）を取着しておいても良い。このような釣糸接触部材を取着しておくことで、釣糸放出時や釣糸巻き取り時に釣糸が接触しても、切れることを防止でき、かつ接触抵抗を更に軽減することが可能となる。
【００５６】
さらに、釣糸案内体６０を回動するに際しては、管状体５５の外周に、軸方向に延出する突起を設けて回り止めしたが、管状体５５に形成される長孔５５ａのエッジ５５ｅによって回り止めするようにしても良い。
【符号の説明】
【００５７】
１  リール本体
１Ａ，１Ｂ  左右側板
５  スプール軸
５Ａ  スプール
２０  クラッチ機構
５０  レベルワインド装置
５５  管状体
６０  釣糸案内体
６７，６７Ａ  釣糸案内部
６８  開口部
【図１】
2014087277.tif 000003
【図２】
2014087277.tif 000004
【図３】
2014087277.tif 000005
【図４】
2014087277.tif 000006
【図５】
2014087277.tif 000007
【図６】
2014087277.tif 000008
【図７】
2014087277.tif 000009
【図８】
2014087277.tif 000010
【図９】
2014087277.tif 000011
【図１０】
2014087277.tif 000012
【図１１】
2014087277.tif 000013
【図１２】
2014087277.tif 000014
【図１３】
2014087277.tif 000015
【図１４】
2014087277.tif 000016
【図１５】
2014087277.tif 000017
【図１６】
2014087277.tif 000018
【図１７】
2014087277.tif 000019